(57)【要約】  動的冷却ミニバーは、カバーと、可動隔室であって、カバーの後ろから当該可動隔室の内部を露出させるために並進可能な可動隔室と、可動隔室の内部を冷却するよう動作可能な冷却デバイスと、を含む。車両内の一体型娯楽設備は、一体型娯楽設備に移動可能に取り付けられた動的冷却ミニバーと、一体型娯楽設備の側部及び可動隔室の少なくとも１つに結合されたアクチュエータと、を含み、アクチュエータは可動隔室を並進させるように動作可能である。動的冷却ミニバーを操作する方法は、動的冷却ミニバーの可動隔室を動的冷却ミニバーのカバーに対して第１位置から第２位置に並進させるための入力信号を受信するステップと、入力信号に従い可動隔室を第２位置に直線的に並進させるステップと、を含む。【選択図】図１Ａ
2015514199.tif 000002
【特許請求の範囲】
【請求項１】
カバーと、
可動隔室であって、前記カバーの後ろから当該可動隔室の内部を露出させるために並進可能な可動隔室と、
前記可動隔室の前記内部を冷却するように動作可能な冷却デバイスと、を備える、動的冷却ミニバー。
【請求項２】
前記可動隔室内に配置された飲料トレイであって、前記冷却デバイスが前記可動隔室の底部の開口部を通じて当該飲料トレイに熱的に結合されている、飲料トレイをさらに備える、請求項１に記載の動的冷却ミニバー。
【請求項３】
前記可動隔室の前記内部を冷却するために前記冷却デバイスが前記飲料トレイの表面を冷却する、請求項２に記載の動的冷却ミニバー。
【請求項４】
前記飲料トレイが熱伝導性材料から構成されている、請求項２に記載の動的冷却ミニバー。
【請求項５】
前記冷却デバイスを制御して前記可動隔室の前記内部をほぼ事前設定温度に維持するように動作可能な制御部をさらに備える、請求項１に記載の動的冷却ミニバー。
【請求項６】
前記冷却デバイスが、
前記可動隔室の前記内部を冷却するように動作可能な少なくとも１つの熱電冷却デバイスと、
前記熱電冷却モジュールの外部から前記少なくとも１つの熱電冷却デバイスまで空気を循環させて前記熱電冷却モジュールから前記外部への熱を阻止するように動作可能なファンと、
前記少なくとも１つの熱電冷却デバイスに送られる電力の量を制御するように動作可能な温度制御器と、を含む、熱電冷却モジュールを備える、請求項１に記載の動的冷却ミニバー。
【請求項７】
前記可動隔室を並進させるように動作可能なアクチュエータをさらに備える、請求項１に記載の動的冷却ミニバー。
【請求項８】
第１位置から第２位置に前記可動隔室を直線的に並進させるように前記アクチュエータを制御する制御部をさらに備え、前記第２位置が、完全に収容された位置、完全に開いた位置及び部分的に開いた位置から構成された群から選択される、請求項７に記載の動的冷却ミニバー。
【請求項９】
前記可動隔室が前記完全に収容された位置にある場合、前記可動隔室の前記内部が完全に前記カバーの後ろにある、請求項８に記載の動的冷却ミニバー。
【請求項１０】
前記可動隔室が前記完全に開いた位置にある場合、前記可動隔室の前記内部の大部分が前記カバーの後ろから露出している、請求項８に記載の動的冷却ミニバー。
【請求項１１】
前記可動隔室が前記部分的に開いた位置にある場合、前記可動隔室が前記完全に開いた位置にある場合よりも少ない前記可動隔室の前記内部が前記カバーの後ろから露出している、請求項１０に記載の動的冷却ミニバー。
【請求項１２】
車両内の一体型娯楽設備の一部であって、
前記一体型娯楽設備に移動可能に取り付けられた動的冷却ミニバーであって、
カバーと、
可動隔室であって、前記カバーの後ろから当該可動隔室の内部を露出させるために並進可能な可動隔室と、
前記可動隔室の前記内部を冷却するように動作可能な冷却デバイスと、を備える、動的冷却ミニバーと、
前記一体型娯楽設備の側部及び前記可動隔室の少なくとも１つに結合されたアクチュエータであって、前記可動隔室を並進させるように動作可能なアクチュエータと、を備える、一体型娯楽設備の一部。
【請求項１３】
前記動的冷却ミニバーが、前記冷却デバイスを制御して、前記可動隔室の前記内部でほぼ事前設定温度を維持するように動作可能な制御部をさらに含む、請求項１２に記載の一体型娯楽設備の一部。
【請求項１４】
前記アクチュエータが、
回転可能なスクリューと、
前記可動隔室に結合されたブラケットであって、前記ブラケットの第１端部が前記スクリューに結合されている、ブラケットと、を備え、
前記スクリューが回転すると、前記可動隔室が直線的に並進される、請求項１２に記載の一体型娯楽設備の一部。
【請求項１５】
前記スクリューが回転すると、前記可動隔室が前記スクリューの長さ方向と平行に直線的に並進する、請求項１４に記載の一体型娯楽設備の一部。
【請求項１６】
前記アクチュエータが、
スクリューと、
前記スクリューを回転するように動作可能なモータと、
前記可動隔室に結合されたブラケットであって、前記ブラケットの第１端部が前記スクリューに結合されている、ブラケットと、を備え、
前記モータが前記スクリューを回転させると、前記可動隔室が直線的に並進される、請求項１２に記載の一体型娯楽設備の一部。
【請求項１７】
前記モータが前記スクリューを回転させると、前記可動隔室が前記スクリューの長さ方向と平行に直線的に並進される、請求項１６に記載の一体型娯楽設備の一部。
【請求項１８】
前記アクチュエータが、
静止しているスクリューと、
前記スクリューの周りを回転可能なナットと、
前記可動隔室に結合されたブラケットであって、前記ブラケットの第１端部が前記ナットに結合されている、ブラケットと、を備え、
前記ナットが前記スクリューの周りを回転すると、前記可動隔室が直線的に並進される、請求項１２に記載の一体型娯楽設備の一部。
【請求項１９】
前記ナットが前記スクリューの周りを回転すると、前記可動隔室が前記スクリューの長さ方向と平行に直線的に並進する、請求項１８に記載の一体型娯楽設備の一部。
【請求項２０】
前記アクチュエータが、
静止しているスクリューと、
前記スクリューの周りでナットを回転させるように動作可能なモータと、
前記可動隔室に結合されたブラケットであって、前記ブラケットの第１端部が前記ナットと結合されている、ブラケットと、を備え、
前記モータが前記ナットを前記スクリューの周りで回転させると、前記可動隔室が前記スクリューと直線的に並進される、請求項１２に記載の一体型娯楽設備の一部。
【請求項２１】
前記モータが前記スクリューの周りで前記ナットを回転させると、前記可動隔室が前記スクリューの長さ方向と平行に直線的に並進する、請求項２０に記載の一体型娯楽設備の一部。
【請求項２２】
動的冷却ミニバーを操作する方法であって、
前記動的冷却ミニバーの可動隔室を前記動的冷却ミニバーのカバーに対して第１位置から第２位置に並進させるための入力信号を受信するステップと、
前記入力信号に従い前記可動隔室を前記第２位置に直線的に並進させるステップと、を含む、方法。
【請求項２３】
前記第２位置が、完全に収容された位置、完全に開いた位置及び部分的に開いた位置から構成された群から選択される、請求項２２に記載の動的冷却ミニバーを操作する方法。
【請求項２４】
前記可動隔室が前記完全に収容された位置にある場合、前記可動隔室の内部が完全に前記カバーの後ろにある、請求項２３に記載の動的冷却ミニバーを操作する方法。
【請求項２５】
前記可動隔室が前記完全に開いた位置にある場合、前記可動隔室の内部の大部分が前記カバーの後ろから露出している、請求項２３に記載の動的冷却ミニバーを操作する方法。
【請求項２６】
前記可動隔室が前記部分的に開いた位置にある場合、前記可動隔室が前記完全に開いた位置にある場合よりも少ない前記可動隔室の前記内部が前記カバーの後ろから露出している、請求項２５に記載の動的冷却ミニバーを操作する方法。
【発明の詳細な説明】
【技術分野】
【０００１】
関連出願の相互参照
[0001]  この出願は「航空機乗客用スイート用の動的冷却ミニバー」と題され、２０１２年３月２３日に出願された米国仮特許出願第６１／６１４，６４０号の優先権を主張するものであり、その内容全体を参照によって本明細書に組み込む。
【０００２】
[0002]  本明細書中に開示される実施形態は、概して、スーパーファーストクラス内装環境用航空機一体型娯楽設備に関し、特に、航空機スーパーファーストクラス乗客用スイート内の動的並進運動冷却ミニバーを含む一体型娯楽設備に関する。
【背景技術】
【０００３】
[0003]  航空機乗客用スイートにおいて使用するための公知のミニバーは、通常、乗客用スイートの床に立っている。一般に、ミニバーは、外側に開いて乗客用スイート内に突出する扉を有する。これらミニバーにアクセスするため、乗客はまず、かがんでミニバーの扉を開けなければならない。ミニバー内に収容された食品製品又は飲料に到達するため、ミニバー内の所望の食品又は飲料に手を伸ばす間、乗客は扉を開いたままにしなければならない。
【０００４】
[0004]  航空機乗客用スイートの床に立っているこれらミニバーはいくつかの理由で非常に扱いにくくなり得る。航空機乗客用スイートは、限られた利用可能なスペースを有する。ミニバーの扉が開かれると、扉は乗客用スイート内に外側に旋回するため、スイート内の利用可能なスペースが減少する。加えて、乗客が、これらミニバー内に収容された任意の食品又は飲料にアクセスすることは困難である。ミニバーの内容を確認しようとする際、乗客はミニバーの高さまでかがんで扉を開いたままにしなければならず、このことは、ミニバー内に収容された食品及び飲料のラベルを乗客が読むには不自然な姿勢である。さらに、乱流又は他の外乱のため乗り心地が悪い場合、乗客が、自身の座席を離れてこれらミニバーにアクセスすることは危険となるおそれがある。
【発明の概要】
【０００５】
[0005]  実施形態は、航空機乗客用スイート内においてより多くのスペースを促進するため、ミニバー内に収容された食品製品及び飲料の温度を必要な食品保管温度に維持するため、及び乗客の座席のあらゆる位置において食品及び飲料への便利なアクセスを提供するため、公知のミニバーの課題を克服し得る。
【０００６】
[0006]  本明細書中に記載されるミニバーは、動的冷却ミニバーを航空機スーパーファーストクラス乗客用スイート内の一体型娯楽設備に移動可能に取り付けるための機能を提供する。一実施形態においては、動的冷却ミニバーは、カバーと、可動隔室と、可動隔室内に配置された飲料トレイと、可動隔室の底部にある開口部を通じて飲料トレイに取り付けられた空冷式熱電冷却モジュールと、を含む。動的冷却ミニバーの可動隔室は、アクチュエータを介して一体型娯楽設備の側部又は後部に摺動可能に取り付けられている。動作時、アクチュエータは可動隔室を一体型娯楽設備の側部に沿って並進させる。このように、閉じられた場合と比較すると、開かれた場合に乗客用スイート内に突出する動的冷却ミニバーの部分がないため、乗客用スイート内においてより多くのスペースを促進する。
【０００７】
[0007]  種々の実施形態においては、動的冷却ミニバー内に収容された任意の食品又は飲料へのアクセスを提供するため、アクチュエータは、可動隔室を一体型娯楽設備の側部に沿って並進させ、可動隔室を種々の位置に停止させてもよい。この構成により、乗客は、着座していようと起立していようと、動的冷却ミニバー内に収容された任意の食品又は飲料に容易にアクセスすることができる。従って、乗客は、まず公知のミニバーの扉を開き、その後、公知のミニバーの内部に到達するためにかがむ必要があるなどの公知のミニバーに付随する困難なく、ミニバー内に収容された食品又は飲料にアクセスすることができる。
【０００８】
[0008]  一実施形態においては、動的冷却ミニバーは、カバーと、可動隔室であって、その内部をカバーの後ろから露出させるために並進可能な可動隔室と、可動隔室の内部を冷却するよう動作可能な冷却デバイスと、を含む。
【０００９】
[0009]  動的冷却ミニバーは、可動隔室内に配置された飲料トレイをさらに含んでもよく、冷却デバイスは、可動隔室の底部にある開口部を通じて飲料トレイと熱的に結合されている。冷却デバイスは、可動隔室の内部を冷却するために飲料トレイの表面を冷却してもよい。飲料トレイは熱伝導性材料で構成されてもよい。
【００１０】
[0010]  動的冷却ミニバーは、可動隔室の内部のほぼ事前設定温度を維持するように制御するように冷却デバイスを動作可能な制御部をさらに含んでもよい。
【００１１】
[0011]  冷却デバイスは熱電冷却モジュールを含んでもよい。熱電冷却モジュールは、可動隔室の内部を冷却するよう動作可能な少なくとも１つの熱電冷却デバイスと、熱電冷却モジュールから外部への熱を阻止するために空気を熱電冷却モジュールの外部から少なくとも１つの熱電冷却デバイスまで循環させるように動作可能なファンと、少なくとも１つの熱電冷却デバイスに送られる電力の量を制御するよう動作可能な温度制御器と、を含んでもよい。
【００１２】
[0012]  動的冷却ミニバーは、可動隔室を並進させるよう動作可能なアクチュエータをさらに含んでもよい。動的冷却ミニバーは、また、可動隔室を第１位置から第２位置に直線的に並進させるようにアクチュエータを制御する制御部を含んでもよく、第２位置は、完全に収容された位置、完全に開いた位置及び部分的に開いた位置から構成された群から選択される。
【００１３】
[0013]  可動隔室が完全に収容された位置にある場合、可動隔室の内部は完全にカバーの後ろにある。可動隔室が完全に開いた位置にある場合、可動隔室の内部の大部分がカバーの後ろから露出している。可動隔室が部分的に開いた位置にある場合、可動隔室が完全に開いた位置にある場合よりも少ない可動隔室の内部がカバーの後ろから露出している。
【００１４】
[0014]  別の実施形態においては、車両内の一体型娯楽設備の一部は、一体型娯楽に移動可能に取り付けられた動的冷却ミニバーと、一体型娯楽設備の側部及び可動隔室の少なくとも１つと結合されたアクチュエータであって、アクチュエータが可動隔室を並進させるために動作可能である、アクチュエータと、を含む。
【００１５】
[0015]  アクチュエータは、回転可能なスクリューと、可動隔室と結合されたブラケットであって、ブラケットの第１端部がスクリューと結合されているブラケットと、を含んでもよい。スクリューが回転すると、可動隔室は直線的に並進されてもよい。さらに、スクリューが回転すると可動隔室はスクリューの長さ方向と平行に直線的に並進されてもよい。
【００１６】
[0016]  別の実施形態においては、アクチュエータは、スクリューと、スクリューを回転させるように動作可能なモータと、可動隔室に結合されたブラケットであって、ブラケットの第１端部がスクリューも結合されているブラケットと、を含んでもよい。モータがスクリューを回転させると、可動隔室は直線的に並進されてもよい。さらに、モータがスクリューを回転させると、可動隔室はスクリューの長さ方向と平行に直線的に並進されてもよい。
【００１７】
[0017]  さらに別の実施形態においては、アクチュエータは、静止しているスクリューと、スクリューの周りを回転可能なナットと、可動隔室に結合されたブラケットであって、ブラケットの第１端部がナットに結合されているブラケットと、を含んでもよい。ナットがスクリューの周りを回転すると、可動隔室は直線的に並進されてもよい。さらに、ナットがスクリューの周りを回転すると、可動隔室はスクリューの長さ方向と平行に直線的に並進されてもよい。
【００１８】
[0018]  一実施形態においては、アクチュエータは、静止しているスクリューと、ナットをスクリューの周りにおいて回転させるように動作可能なモータと、可動隔室に結合されたブラケットであって、ブラケットの第１端部がナットに結合されているブラケットと、を含んでもよい。モータがナットをスクリューの周りにおいて回転させると、可動隔室はスクリューによって直線的に並進されてもよい。さらに、モータがナットをスクリューの周りにおいて回転させると、可動隔室はスクリューの長さ方向と平行に直線的に並進されてもよい。
【００１９】
[0019]  さらに別の実施形態においては、動的冷却ミニバーを操作する方法は、動的冷却ミニバーの可動隔室を動的冷却ミニバーのカバーに対して第１位置から第２位置に並進させるための入力信号を受信するステップと、入力信号に従い可動隔室を第２位置に直線的に並進させるステップと、を含む。
【００２０】
[0020]  本明細書中に記載される例示的実施形態は、スーパーファーストクラス乗客用スイート内の一体型娯楽設備に移動可能に取り付けられた動的冷却ミニバーという状況で示されるが、これら実施形態は単に例示であり、限定とみなされるべきではない。装置及び構成の実施形態は動的冷却ミニバーに限定されない。例えば、装置及び構成の実施形態は冷蔵庫、冷凍庫並びに他の食品貯蔵及び調理デバイスに適合させてもよい。別の例として、装置及び構成の実施形態は、航空機、車両、又は他の密閉された空間内の他のサイズ又は領域内に適合するように構成されてもよい。種々の実施形態は、従って、航空機、宇宙船、船、バス、列車、娯楽的車両、トラック、乗用車等を含む任意の車両において使用されてもよい。装置の実施形態は、また、住居、事務所、ホテル、工場、倉庫、車庫及び動的冷却ミニバーを使用することが望ましい可能性がある他の建物において使用されてもよい。
【００２１】
[0021]  本発明の上記及び他の特徴並びに利点は、以下に記載される添付の図面を参照してその例示的実施形態を詳細に説明することによってさらに明らかになろう。
【図面の簡単な説明】
【００２２】
【図１Ａ】一実施形態による、スーパーファーストクラス乗客用スイート内の一体型娯楽設備に移動可能に取り付けられた動的冷却ミニバーを示す斜視図である。
【図１Ｂ】一実施形態による、スーパーファーストクラス乗客用スイート内の一体型娯楽設備に移動可能に取り付けられた動的冷却ミニバーを示す斜視図である。
【図２】一実施形態による、カバーを備えた動的冷却ミニバーを示す斜視図である。
【図３】一実施形態による、飲料トレイ及びその中に配置された飲料を含む動的冷却ミニバーを示す斜視図である。
【図４】一実施形態による、一体型娯楽設備に移動可能に取り付けられた動的冷却ミニバーを示す斜視図である。
【図５Ａ】一実施形態による、動作時の図４の動的冷却ミニバーを示す斜視図である。
【図５Ｂ】一実施形態による、動作時の図４の動的冷却ミニバーを示す斜視図である。
【図５Ｃ】一実施形態による、動作時の図４の動的冷却ミニバーを示す斜視図である。
【図６Ａ】一実施形態による、動的冷却ミニバーの飲料トレイを示す斜視図である。
【図６Ｂ】一実施形態による、動的冷却ミニバーの飲料トレイを示す底面図である。
【図７】一実施形態による、一体型娯楽設備に移動可能に取り付けられた、カバーを備えた動的冷却ミニバーを示す斜視図である。
【図８】一実施形態による、図７の動的冷却ミニバーの熱電冷却モジュールを示す斜視図である。
【図９Ａ】図８の熱電冷却モジュールを示す上面図である。
【図９Ｂ】図８の熱電冷却モジュールを示す側面図である。
【図９Ｃ】図８の熱電冷却モジュールを示す底面図である。
【図９Ｄ】図８の熱電冷却モジュールを示す別の側面図である。
【図１０Ａ】一実施形態による、図７の動的冷却ミニバーの電源を示す斜視図である。
【図１０Ｂ】一実施形態による、図７の動的冷却ミニバーの電源を示す底面図である。
【図１０Ｃ】一実施形態による、図７の動的冷却ミニバーの電源を示す側面図である。
【図１１Ａ】一実施形態による、図７の動的冷却ミニバーの温度制御器を示す斜視図である。
【図１１Ｂ】一実施形態による、図７の動的冷却ミニバーの温度制御器を示す上面図である。
【図１１Ｃ】一実施形態による、図７の動的冷却ミニバーの温度制御器を示す側面図である。
【図１２】一実施形態による、図７の動的冷却ミニバーの制御部を示すブロック図である。
【図１３】一実施形態による、動的冷却ミニバーを並進させるアクチュエータを示す斜視図である。
【図１４Ａ】動作時の、図１３のアクチュエータによって並進されている動的冷却ミニバーを示す斜視図である。
【図１４Ｂ】動作時の、図１３のアクチュエータによって並進されている動的冷却ミニバーを示す斜視図である。
【図１５Ａ】一実施形態による、動作時の、一体型娯楽設備に移動可能に取り付けられた動的冷却ミニバーを示す斜視図である。
【図１５Ｂ】一実施形態による、動作時の、一体型娯楽設備に移動可能に取り付けられた動的冷却ミニバーを示す斜視図である。
【図１５Ｃ】一実施形態による、動作時の、一体型娯楽設備に移動可能に取り付けられた動的冷却ミニバーを示す斜視図である。
【図１６Ａ】別の実施形態による、動作時の、一体型娯楽設備に移動可能に取り付けられた動的冷却ミニバーを示す斜視図である。
【図１６Ｂ】別の実施形態による、動作時の、一体型娯楽設備に移動可能に取り付けられた動的冷却ミニバーを示す斜視図である。
【図１７Ａ】図１６Ａの動的冷却ミニバーを示す斜視図である。
【図１７Ｂ】図１６Ｂの動的冷却ミニバーを示す斜視図である。
【図１８Ａ】一実施形態による動的冷却ミニバーを操作する方法を示す流れ図である。
【図１８Ｂ】種々の実施形態による、動的冷却ミニバーの可動隔室を並進させる方法を示す流れ図である。
【図１８Ｃ】種々の実施形態による、動的冷却ミニバーの可動隔室を並進させる方法を示す流れ図である。
【発明を実施するための形態】
【００２３】
[0041]  本明細書中に記載されるように、動的冷却ミニバーは、航空機スーパーファーストクラス乗客用スイート内の一体型娯楽設備に移動可能に取り付けられてもよい。一実施形態においては、動的冷却ミニバーは、カバーと、可動隔室と、可動隔室内に配置された飲料トレイと、飲料トレイに熱的に結合されている熱電冷却モジュールと、電源と、温度制御器と、アクチュエータと、を含んでもよい。動的冷却ミニバーの可動隔室は、アクチュエータを介して一体型娯楽設備の側部又は後部に摺動可能に取り付けられてもよい。種々の実施形態においては、動的冷却ミニバー内に収容された任意の食品又は飲料へのアクセスを提供するため、アクチュエータは、可動隔室を一体型娯楽設備の側部又は後部に沿って並進させてカバーの後ろから出現させるとともに、可動隔室を種々の位置に停止してもよい。この構成により、乗客は、着座していようと起立していようと、動的冷却ミニバー内に収容された任意の食品又は飲料に容易にアクセスすることができる。従って、乗客は、まず公知のミニバーの扉を開き、その後、公知のミニバーの内部に到達するためにかがむ必要があるなどの公知のミニバーに付随する困難なく、動的冷却ミニバー内の食品又は飲料にアクセスすることができる。さらに、閉じられた場合と比較すると、開かれた場合に乗客用スイート内に突出する動的冷却ミニバーの部分がないため、乗客用スイート内においてより多くのスペースを促進する。
【００２４】
[0042]  図１Ａ及び図１Ｂは、一実施形態による、スーパーファーストクラス乗客用スイート１００内の一体型娯楽設備１１０に移動可能に取り付けられた動的冷却ミニバー２００を示す斜視図である。図１Ａに示されるように、動的冷却ミニバー２００はカバー２１０及び可動隔室２２０を含む。カバー２１０は、一体型娯楽設備１１０の外観に合うように不透明であっても、乗客が動的冷却ミニバー２００内の任意の内容を見るために透明（図２に示すように）であってもよい。図１Ｂに示すように、乗客が飲料３００に容易にアクセスしてもよいように、動的冷却ミニバー２００は開位置に並進される。さらに、カバー２１０は、保守及び清掃を容易にするために開かれても取り外されてもよい。
【００２５】
[0043]  図２は、一実施形態による、カバー２１０を備えた動的冷却ミニバー２００を示す斜視図である。図２に示されるように、動的冷却ミニバー２００は、カバー２１０と、可動隔室２２０と、可動隔室２２０内に配置された飲料トレイ２３０と、可動隔室２２０の底部にある開口部を通じて飲料トレイ２３０と熱的に結合されている熱電冷却モジュール２４０と、を含む。示される実施形態においては、熱電冷却モジュール２４０は飲料トレイ２３０の表面全体に冷温を分配し、その次に、飲料トレイ２３０は動的冷却ミニバー２００内に収容された内容を冷却する。熱電冷却モジュール２４０は、飲料トレイ２３０に熱的に結合され、かつ飲料トレイ２３０に直接取り付けられているため、その中に収容された内容は、動的冷却ミニバー２００が、図１Ｂに示すような開位置にあろうと図２に示すような収容された位置にあろうと冷却される。
【００２６】
[0044]  図３は、一実施形態による、飲料トレイ２３０と、その中に配置された飲料３００と、を含む、動的冷却ミニバー２００を示す斜視図である。動的冷却ミニバー２００は、可動隔室２２０と、可動隔室２２０内に配置された飲料トレイ２３０と、を含む。飲料トレイ２３０は、飲料３００を可動隔室２２０内に保持し、（図２に示すような）熱電冷却モジュール２４０を使用して飲料３００を冷却する。
【００２７】
[0045]  図４は、一実施形態による、一体型娯楽設備１１０に移動可能に取り付けられた動的冷却ミニバー２００を示す斜視図である。図４に示されるように、動的冷却ミニバー２００は、カバー２１０と、可動隔室２２０と、可動隔室２２０内に配置された飲料トレイ２３０と、可動隔室２２０の底部にある開口部を通じて飲料トレイ２３０に熱的に結合されている熱電冷却モジュール２４０と、電源２５０と、温度制御器２６０と、電源コード保持器２７０と、を含む。電源２５０は、熱電冷却モジュール２４０と、温度制御器２６０と、アクチュエータと、に電力を提供してもよい（図１３、図１４Ａ及び図１４Ｂを参照）。電源コード保持器２７０は電源コード（図５Ｂの２７１）を含み、電源コードの端部は熱電冷却モジュール２４０に連結されている。
【００２８】
[0046]  図５Ａ〜図５Ｃは、一実施形態による、動作時の図４の動的冷却ミニバー２００を示す斜視図である。図５Ａでは、動的冷却ミニバー２００は完全に収容された位置にあり、カバー２１０が可動隔室２２０の前開口部及び内部を完全に被覆している。熱電冷却モジュール２４０は、可動隔室２２０の底部に配置されており、飲料トレイ２３０に熱的に結合されている。電源２５０、温度制御器２６０及び電源コード保持器２７０は一体型娯楽設備１１０の底部の近傍に配置されている。
【００２９】
[0047]  図５Ｂに示されるように、動的冷却ミニバー２００は部分的に開位置に並進される。可動隔室２２０は上方に垂直に並進されるため、可動隔室２２０の前開口部及び内部は部分的に露出するか、カバー２１０によって被覆されない。熱電冷却モジュール２４０は、飲料トレイ２３０と熱的に結合されており、かつ可動隔室２２０の底部に配置されているため、可動隔室２２０が一体型娯楽設備１１０の側部又は後部に沿って並進されると、熱電冷却モジュール２４０もまた可動隔室２２０とともに並進される。熱電冷却モジュール２４０に連結された電源コード２７１は、熱電冷却モジュール２４０が可動隔室２２０とともに並進されると電源コード保持器２７０から延びる。このようにして、可動隔室２２０の位置に関係なく、電源コード２７１は熱電冷却モジュール２４０に電力を移送してもよい。
【００３０】
[0048]  図５Ｃに示すように、可動隔室２２０の内部及び前開口部の大部分が露出するか、カバー２１０によって被覆されないように、可動隔室２２０は、完全に開いた位置に並進される。その一方で、可動隔室２２０が、図５Ｂに示すような部分的に開いた位置に並進されると、可動隔室２２０が、図５Ｃに示すような完全に開いた位置にある場合よりも少ない可動隔室２２０の内部がカバー２１０の後ろから露出する。熱電冷却モジュール２４０は可動隔室２２０とともに並進するように構成されているため、動的冷却ミニバー２００が、部分的に開いた位置又は完全に開いた位置において長時間開いたままであっても熱電冷却モジュール２４０は、飲料トレイ２３０を連続的に冷却することができ、飲料トレイ２３０に配置された任意の食品又は飲料を冷却された状態及び新鮮な状態に維持する。
【００３１】
[0049]  図６Ａは、一実施形態による、動的冷却ミニバー２００の飲料トレイ２３０を示す斜視図であり、図６Ｂは、一実施形態による、動的冷却ミニバー２００の飲料トレイ２３０を示す底面図である。図６Ａは、可動隔室２２０内に移動可能に配置された飲料トレイ２３０を示す。可動隔室２２０の底部は、飲料トレイ２３０に熱的に結合されてもよい熱電冷却モジュール２４０に合うように構成されている開口部２２１を含む。飲料トレイ２３０は防水金属材料（water tight metallic material）で構成されてもよいが、これは限定と解釈されるべきではない。飲料トレイ２３０は当技術分野において公知の他の熱伝導性材料を使用して構成されてもよい。飲料トレイ２３０は、その上に配置された任意の食品又は飲料の固定を補助するため、飲料トレイ２３０の縁端に沿うリップをさらに含んでもよい。飲料トレイ２３０は、飲料及び食品製品に接している表面全体に冷温を均一に分配してもよい。さらに、飲料トレイ２３０は保守及び清掃を容易にするため、飲料又は食品製品からの任意の凝縮、溢流又は漏液を回収してもよい。種々の実施形態においては、飲料トレイ２３０は、清掃のために熱電冷却モジュール２４０から分離されてもよく、かつ可動隔室２２０から取り外されてもよい。
【００３２】
[0050]  図６Ｂは、一実施形態による、動的冷却ミニバー２００の飲料トレイ２３０を示す底面図である。飲料トレイ２３０は、熱電冷却モジュール２４０に結合するための領域２３１を含む。熱電冷却モジュール２４０に結合されるか、熱電冷却モジュール２４０に取り付けられると、飲料トレイ２３０の表面は飲料又は食品製品との冷却接触（cooling contact）を提供する。飲料及び食品製品の包装を通じて飲料及び食品製品から飲料トレイ２３０及び熱電冷却モジュール２４０に熱が伝達されるため、飲料及び食品製品は飲料トレイ２３０及び熱電冷却モジュール２４０によって冷却及び低温化される。
【００３３】
[0051]  図７は、一実施形態による、一体型娯楽設備１１０に移動可能に取り付けられた、カバー２１０を備えた動的冷却ミニバー２００を示す斜視図である。動的冷却ミニバー２００は、一体型娯楽設備１１０の側部又は後部に移動可能に取り付けられてもよい。動的冷却ミニバー２００は、カバー２１０と、可動隔室２２０と、可動隔室２２０内に配置された飲料トレイ２３０と、可動隔室２２０の底部にある開口部を通じて飲料トレイ２３０に熱的に結合されている熱電冷却モジュール２４０と、電源２５０と、温度制御器２６０と、電源コード保持器２７０と、を含む。電源２５０は、熱電冷却モジュール２４０及び温度制御器２６０に電力を提供してもよい。電源コード保持器２７０は電源コードを収容し、電源コードの端部は熱電冷却モジュール２４０に連結されている。
【００３４】
[0052]  図８は、一実施形態による、図７の動的冷却ミニバー２００の熱電冷却モジュール２４０を示す斜視図である。熱電冷却モジュール２４０は、ファン２４１と、コネクタ２４２と、熱電冷却モジュール２４０内部に収容された少なくとも１つの熱電冷却デバイスと、を含む。ファン２４１は航空機客室又は乗客用スイートから熱電冷却モジュール２４０内部の少なくとも１つの熱電冷却デバイスに空気を循環させ、熱電冷却モジュール２４０から航空機客室又は乗客用スイート内に戻る熱を阻止する。電力をファン２４１及び少なくとも１つの熱電冷却デバイスに供給するためコネクタ２４２は、電源コード、例えば、図５Ｂに示すような電源コード２７１に連結されてもよい。
【００３５】
[0053]  図９Ａは、図８の熱電冷却モジュール２４０を示す上面図であり、図９Ｂは、図８の熱電冷却モジュール２４０を示す側面図であり、図９Ｃは、図８の熱電冷却モジュール２４０を示す底面図であり、図９Ｄは、図８の熱電冷却モジュール２４０を示す別の側面図である。図９Ａは、図８の熱電冷却モジュール２４０の上面図を示す。熱電冷却モジュール２４０は、ファン２４１と、コネクタ２４２と、少なくとも１つの熱電冷却デバイスと、を含む。図９Ｂは、熱電冷却モジュール２４０の側面図を示す。熱電冷却モジュール２４０のハウジングは少なくとも１つの熱電冷却デバイスを含む。図９Ｃは、熱電冷却モジュール２４０の底面図を示す。飲料トレイ２３０の表面全体に冷温を分配するため、熱電冷却モジュール２４０の底部側は、飲料トレイ２３０に熱的に結合されても、飲料トレイ２３０に取り付けられてもよい。図９Ｄは、熱電冷却モジュール２４０の別の側面図を示す。
【００３６】
[0054]  図１０Ａは、一実施形態による、図７の動的冷却ミニバー２００の電源２５０を示す斜視図であり、図１０Ｂは、一実施形態による、図７の動的冷却ミニバー２００の電源２５０を示す底面図であり、図１０Ｃは、一実施形態による、図７の動的冷却ミニバー２００の電源２５０を示す側面図である。図１０Ａは、図８に示す熱電冷却モジュール２４０と、温度制御器２６０と、動的冷却ミニバー２００を並進させるアクチュエータと、に電力を提供する電源２５０を示す。電源２５０は航空機のＡＣ（交流）電源をＤＣ（直流）電源に変換する。他の実施形態においては、電源２５０はＡＣ電流、電圧又は電力をＤＣ電流、電圧又は電力にそれぞれ変換してもよい。電源２５０はハウジング２５１及び端子ピン２５２を含む。端子ピン２５２は、電源２５０と他のデバイスとの間に接地接続、入力接続及び出力接続を提供してもよい。さらに、電源２５０は一体型娯楽設備１１０に取り付けられても搭載されてもよいが、これは限定と解釈されるべきではない。図１０Ｂは、電源２５０の底面図を示す。図１０Ｃは、電源２５０の側面図を示す。一実施形態においては、電源２５０は入力１２０Ｖａｃ、６０Ｈｚ及び出力１２Ｖｄｃ、１２Ａであってもよい。
【００３７】
[0055]  図１１Ａは、一実施形態による、図７の動的冷却ミニバー２００の温度制御器２６０を示す斜視図であり、図１１Ｂは、一実施形態による、図７の動的冷却ミニバー２００の温度制御器２６０を示す上面図であり、図１１Ｃは、一実施形態による、図７の動的冷却ミニバー２００の温度制御器２６０を示す側面図である。図１１Ａは、動的冷却ミニバー２００内の温度を監視及び制御する温度制御器２６０を示す。温度制御器２６０は、例えば、熱電冷却モジュール２４０の温度、電圧及びファン速度の設定を調節するためのダイアルゲージ２６１を含んでもよい。温度制御器２６０は、熱電冷却モジュール２４０に送られる電力の量を制御してもよい。この操作は、パルス幅変調（ＰＷＭ）技術を使用して実施されてもよい。例えば、ＰＷＭ信号により、１２Ｖｄｃ、２４Ａ、摂氏２５度の高電流出力が熱電冷却モジュール２４０に提供されてもよい。温度保護のための安全デバイスもまた、温度制御器２６０に含まれてもよい。
【００３８】
[0056]  図１１Ｂは、温度制御器２６０の上面図を示す。図１１Ｃは、温度制御器２６０の側面図を示す。温度制御器２６０は電源２５０に連結されてもよい。別法として、温度制御器２６０と電源２５０とは１つの構成要素として共に収容されてもよい。
【００３９】
[0057]  図１２は、一実施形態による、図７の動的冷却ミニバー２００を制御する制御部１２００のブロック図である。制御部１２００は温度制御器２６０を補完しても代替してもよい。制御部１２００は動的冷却ミニバー２００に取り付けられても一体型娯楽設備１１０に取り付けられてもよい。制御部１２００は入出力インターフェース１２３０を介して制御盤１２４０に結合されてもよい。制御部１２００は、動的冷却ミニバー２００をオン又はオフにする、動作モードを選択する、可動隔室２２０を開いた位置又は収容された位置に並進する、並びに動的冷却ミニバー２００の所望の温度を設定する、などの入力コマンドを使用者から制御盤１２４０を介して受信してもよい。制御部１２００は、制御盤１２４０のディスプレイを使用して、動的冷却ミニバー２００の動作状態に関する情報（例えば、動作モード、除霜サイクルの作動、動的冷却ミニバー２００の可動隔室２２０及び／又は構成要素の過熱状態による停止等）を使用者に対して出力してもよい。制御盤１２４０は、制御部１２００が結合されてもよい動的冷却ミニバー及び一体型娯楽設備の実施形態に取り付けられても、遠隔的に取り付けられてもよい。
【００４０】
[0058]  制御部１２００は、プログラム命令に従い計算を実行するプロセッサ１２１０と、プロセッサ１２１０によって使用又は生成される演算命令及び他のデータを記憶するメモリ１２２０と、イーサネット（登録商標）、ギャレーデータバス（Galley Data Bus）（ＧＡＮ）又はコントローラエリアネットワーク（ＣＡＮ）などの、データ通信ネットワーク１２９０に接続するためのデータ通信回路を含むネットワークインターフェース１２５０と、を含んでもよい。プロセッサ１２１０は、マイクロプロセッサ、フィールドプログラマブルゲートアレイ、特定用途用集積回路又は特別仕様の超大規模集積回路チップ、又は制御機能を実施する他の電子回路を含んでもよい。プロセッサ１２１０は、また、ステートマシンを含んでもよい。制御部１２００は、また、１つ又は複数の電子回路及びプリント回路基板を含んでもよい。プロセッサ１２１０と、メモリ１２２０と、ネットワークインターフェース１２５０とは１つ又は複数のデータバス１２８０を使用して互いに結合されてもよい。制御部１２００は、制御インターフェース１２６０を介して動的冷却ミニバー２００の種々のセンサ及びアクチュエータ１２７０と通信し、かつそれらを制御してもよい。
【００４１】
[0059]  制御部１２００は、航空機に搭載されたもののような中央演算システムによって制御されてもそれと通信してもよい。制御部１２００はＡＲＩＮＣ８１２準拠の論理的通信インターフェースをＡＲＩＮＣ８１０準拠の物理的インターフェースにおいて実行してもよい。制御部１２００はギャレーデータバス（例えば、ギャレーネットワークＧＡＮバス）を介して通信してもよく、かつギャレーネットワーク制御部（例えば、ＡＲＩＮＣ８１２規格に記載されているようなマスターゲイン制御ユニット（Master GAIN Control Unit））とデータを交換してもよい。ＡＲＩＮＣ８１２規格に従い、制御部１２００は、ネットワーク監視、出力制御、遠隔操作、故障監視及びデータ伝達機能を提供してもよい。適切な応答のため、制御部１２００は、ＧＮＣタッチパネルディスプレイ上での表示のためにギャレーネットワーク制御部（ＧＮＣ）が受信したメニュー定義要求を実施し、かつ対応するボタン押下イベントを処理してもよい。制御部１２００は、ＲＳ−２３２通信インターフェース及び／又は赤外線データポートを使用して、パーソナルコンピュータ（ＰＣ）又は携帯型情報端末（ＰＤＡ）との通信などの追加の通信を提供してもよい。そのような追加の通信には、動的冷却ミニバー２００の動作の実時間監視、長期データ回収及び制御システムソフトウェアの更新を含んでもよい。加えて、制御インターフェース１２６０は、制御部１２００と動的冷却ミニバー２００内のモータ制御部との間の通信のために使用されてもよいシリアルペリフェラルインターフェース（ＳＰＩ）バスを含んでもよい。
【００４２】
[0060]  動的冷却ミニバー２００は、可動隔室２２０内に配置された飲料及び／又は食品製品を冷却及び／又は冷蔵するように構成されている。動的冷却ミニバー２００は、冷蔵及び飲料冷却を含むいくつかのモードのうちの１つ又は複数において動作してもよい。使用者は、制御盤１２４０を使用して可動隔室２２０の所望の温度を選択してもよい。動的冷却ミニバー２００に含まれる制御部１２００は、可動隔室２２０内の温度を所望の温度に従い高水準の精度で制御してもよい。従って、可動隔室２２０内に保管された飲料及び／又は食品製品の品質は、動的冷却ミニバー２００の使用者が選択した動作モードに従い維持されてもよい。
【００４３】
[0061]  種々の実施形態においては、動的冷却ミニバー２００は、可動隔室２２０内の温度を、いくつかの予めプログラムされている事前設定温度内の使用者が選択可能なオプション又は特定の使用者入力事前設定温度に従い維持してもよい。例えば、飲料冷却機モードでは、可動隔室２２０内の温度を、約９℃、１２℃又は１６℃の、使用者が選択可能な温度に維持してもよい。冷蔵庫モードでは、可動隔室２２０内の温度は、約４℃又は７℃の、使用者が選択可能な温度に維持されてもよい。
【００４４】
[0062]  動的冷却ミニバー２００は、制御部１２００に関連する電子制御システムによって制御されてもよい。制御部１２００のメモリ１２２０は、プロセッサ１２１０によって実行可能な、動的冷却ミニバー２００を制御する方法を実施するためのプログラムを格納してもよい。電子制御システムによって実施される動的冷却ミニバー２００を制御する方法は、熱電冷却モジュール２４０を制御するために動的冷却ミニバー２００が温度などのセンサデータを使用して動的冷却ミニバー２００の可動隔室２２０内の所定の温度を自動的に維持することができるようにフィードバック制御システムを含んでもよい。
【００４５】
[0063]  図１３は、一実施形態による、動的冷却ミニバー２００を並進させるアクチュエータ２８０を示す斜視図である。図１３に示されるように、アクチュエータ２８０は一体型娯楽設備１１０の側部又は後部に配置されている。アクチュエータ２８０は、電気機械式アクチュエータであっても、油圧式アクチュエータであっても、当技術分野において公知の他のアクチュエータであってもよい。さらに、アクチュエータ２８０は制御部、例えば、図１２に示すような制御部１２００、電気制御部、電気機械式制御部又は当技術分野において公知の他の制御部を使用して動作してもよい。他の実施形態においては、アクチュエータ２８０の機能は手動で実施されてもよい。アクチュエータ２８０を制御する制御部は一体型娯楽設備１１０又は動的冷却ミニバー２００に取り付けられてもよい。制御部は、可動隔室２２０を開いた位置又は収容された位置に並進させるための入力コマンドを、入力機構を介して使用者から受信してもよい。
【００４６】
[0064]  アクチュエータ２８０はブラケット２８１及びスクリュー２８３を含んでもよい。アクチュエータ２８０は、モータの回転運動などの回転運動を動的冷却ミニバー２００が結合されたスクリュー２８３により直線変位に変換する。ブラケット２８１は、スクリュー２８３に移動可能に結合されてもよく、かつ動的冷却ミニバー２００の可動隔室２２０の側部に移動可能に結合されてもよい。従って、アクチュエータ２８０のモータがスクリューを回転させると、ブラケット２８１に結合された可動隔室２２０が直線的に並進される。これは限定と解釈されるべきではない。例えば、他の実施形態においては、アクチュエータ２８０のモータがスクリュー２８３の周りにおいてナットを回転させる間、スクリュー２８３は静止していてもよく、ブラケット２８１はスクリュー２８３よりもむしろナットに結合されている。さらに他の実施形態においては、アクチュエータ２８０は、回転可能なスクリューを使用して、又は静止型スクリューの周りにおいてナットを回転させることによって手動で動作してもよい。さらに、スクリューが回転すると、可動隔室２２０はスクリューの長さ方向と平行に直線的に並進されてもよい。他の実施形態においては、ナットがスクリューの周りを回転すると、可動隔室２２０はスクリューの長さ方向と平行に直線的に並進されてもよい。
【００４７】
[0065]  図１４Ａ及び図１４Ｂは、動作時の、図１３のアクチュエータ２８０によって並進されている動的冷却ミニバー２００を示す斜視図である。図１４Ａに示されるように、動的冷却ミニバー２００は、収容された位置にある。可動隔室２２０の側部は、ブラケット２８１に結合されているか、ブラケット２８１に取り付けられている。ブラケット２８１を安定させるため、並びに可動隔室２２０と飲料トレイ２３０と飲料３００の合計重量を支持するため、ブラケット２８１の第１端部はスクリュー２８３に結合されており、ブラケット２８１の第２の端部はレール２８２に結合されている。
【００４８】
[0066]  図１４Ｂでは、動的冷却ミニバー２００はアクチュエータ２８０によって一体型娯楽設備１１０の側部に沿って上方に垂直に並進されている。モータ又は手動のいずれかによってスクリュー２８３が回転すると、ブラケット２８１はスクリューの長さ方向に平行する軸線に沿って垂直に移動する。従って、ブラケット２８１に配置された可動隔室２２０は同垂直軸線に沿って並進される。図１４Ｂに示すように、可動隔室２２０は、乗客が飲料トレイ２３０及び飲料３００にアクセス可能な開いた位置に並進される。動的冷却ミニバー２００は垂直軸線に沿って移動しているように示されるが、記載された実施形態は限定と解釈されるべきではない。他の実施形態においては、動的冷却ミニバー２００は水平又は対角軸線に沿って並進されてもよい。可動隔室２２０はスクリュー２８３の長さ方向と平行に直線的に並進されてもよい。
【００４９】
[0067]  図１５Ａ〜１５Ｃは、一実施形態による、動作中の、一体型娯楽設備１１０に移動可能に取り付けられた動的冷却ミニバー２００を示す斜視図である。動的冷却ミニバー２００は、カバー２１０と、可動隔室２２０と、可動隔室２２０内に配置された飲料トレイ２３０と、可動隔室２２０の底部にある開口部を通じて飲料トレイ２３０に熱的に結合された熱電冷却モジュール２４０と、一体型娯楽設備１１０の底部の近傍に配置されている電源コード保持器２７０と、を含む。図１５Ａに示されるように、動的冷却ミニバー２００は、完全に収容された位置にあり、カバー２１０は可動隔室２２０の前開口部及び内部を完全に被覆する。図１５Ｂに示すように、可動隔室２２０は、部分的に開いた位置に並進され、可動隔室２２０の前開口部の上半分が露出するか、カバー２１０によって被覆されない。図１５Ｃは、完全に開いた位置に並進させられた動的冷却ミニバー２００を示し、可動隔室２２０の前開口部及び内部の大部分が露出するか、カバー２１０によって被覆されない。可動隔室２２０が、図１５Ｂに示すような部分的に開いた位置にあるか、図１５Ｃに示されるような完全に開いた位置にある場合、乗客は動的冷却ミニバー２００内のあらゆる内容へのアクセスを得てもよい。加えて、動的冷却ミニバー２２０は、完全に収容された位置と完全に開いた位置との間の任意の所望の位置に停止されてもよい。
【００５０】
[0068]  図１６Ａ及び図１６Ｂは、別の実施形態による、動作中の、一体型娯楽設備１１０に移動可能に取り付けられた動的冷却ミニバー２００を示す斜視図である。図１７Ａ及び図１７Ｂは、図１６Ａ及び図１６Ｂの動的冷却ミニバー２００を示す斜視図である。図１６Ａ、図１６Ｂ、図１７Ａ及び図１７Ｂに示すように、動的冷却ミニバー２００は一体型娯楽設備１１０に組み込まれてもよい。図１６Ａ及び図１７Ａでは、動的冷却ミニバー２００は、完全に収容された位置にある。図１６Ｂ及び図１７Ｂでは、ミニバー２００の可動隔室２２０は、完全に開いた位置に並進され、飲料３００を保持する飲料トレイ２３０を露出させる。この構成により、乗客は、着座していようと起立していようと、動的冷却ミニバー２０内に収容された任意の食品又は飲料に容易にアクセスすることができる。さらに、動的冷却ミニバー２００は、閉じられた場合と比較すると、開かれた場合にスーパーファーストクラス乗客用スイート１００内に突出しないため、スーパーファーストクラス乗客用スイート１００内により多くのスペースを促進する。
【００５１】
[0069]  図１８Ａは、一実施形態による動的冷却ミニバーを操作する方法を示すフローチャートである。ステップＳ１８０２では、動的冷却ミニバーの可動隔室を動的冷却ミニバーのカバーに対して第１位置から第２位置に並進させるための入力信号が受信される。その後、ステップＳ１８０４では、可動隔室は入力信号に従い第２位置に直線的に並進させられる。第２位置は、完全に収容された位置、完全に開いた位置及び部分的に開いた位置から構成された群から選択されてもよい。可動隔室が、完全に収容された位置にある場合、可動隔室の内部は完全にカバーの後ろにある。可動隔室が、完全に開いた位置にある場合、可動隔室の内部の大部分がカバーの後ろから露出している。可動隔室が、部分的に開いた位置にある場合、可動隔室が、完全に開いた位置にある場合よりも少ない可動隔室の内部がカバーの後ろから露出している。位置の群は動的冷却ミニバーを動作する前に予めプログラムされても事前設定されてもよい。代替的に、第２位置は動作時に使用者によって指定されてもよい。
【００５２】
[0070]  図１８Ｂ及び図１８Ｃは、種々の実施形態による、動的冷却ミニバーの可動隔室を並進させる方法を示す流れ図である。図１８Ｂに示される実施形態においては、ステップＳ１８０４−２においてスクリューが回転する。スクリューはモータによって又は手動操作により回転させてもよい。その後、ステップＳ１８０４−４においては、スクリューの回転運動が直線運動に変換され、可動隔室はスクリューの長さ方向と平行に直線的に並進する。図１８Ｃに示される実施形態においては、ステップＳ１８０４−６においてナットが静止型スクリューの周りを回転する。ナットはモータによって又は手動操作によりスクリューの周りを回転してもよい。その後、ステップＳ１８０４−８において、スクリューの周りにおけるナットの回転運動は直線運動に変換され、可動隔室はスクリューの長さ方向と平行に直線的に並進する。
【００５３】
[0071]  本明細書中に記載される例示的実施形態はスーパーファーストクラス乗客用スイート内の一体型娯楽設備に移動可能に取り付けられた動的冷却ミニバーという状況で示されるが、これら実施形態は単に例示であり、限定とみなされるべきではない。装置及び構成の実施形態は動的冷却ミニバーに限定されない。例えば、装置及び構成の実施形態は冷蔵庫、冷凍庫並びに他の食品貯蔵及び調理デバイスに適応させてもよい。別の例として、装置及び構成の実施形態は、航空機又は車両内の他のサイズ又は領域内に適合するように構成されてもよい。種々の実施形態は、従って、航空機、宇宙船、船、バス、列車、娯楽的車両、トラック、乗用車等を含む任意の車両において使用されてもよい。装置の実施形態は、また、住居、事務所、ホテル、工場、倉庫、車庫及び動的冷却ミニバーを使用することが望ましい可能性がある他の建物において使用されてもよい。
【００５４】
[0072]  本明細書中に引用された刊行物、特許出願及び特許を含む全ての参考文献は、各参考文献が参照により組み込まれ、かつその全体が本明細書中に説明されるかのように個々に及び具体的に指示されるのと同程度参照により本明細書に組み込まれる。
【００５５】
[0073]  本発明の原理の理解を促進するため、図面に示される実施形態を参照するとともに、これら実施形態を説明するために特定の言語を使用した。しかしながら、この特定の言語により本発明の範囲を限定することを意図するものではなく、本発明は当業者が通常想起するあらゆる実施形態を含むものと解釈すべきである。本明細書中において使用される専門用語は特定の実施形態を説明するためであり、本発明の例示的実施形態の限定を意図するものではない。実施形態の記載において、従来技術の特定の詳細な説明はそれらが本発明の本質を不必要に曖昧にする可能性があると考えられる場合は省略される。
【００５６】
[0074]  本明細書中に記載される装置は、プロセッサと、プロセッサによって実行されるプログラムデータを格納するためのメモリと、ディスクドライブなどの永久記憶装置と、外部デバイスとの通信を担うための通信ポートと、ディスプレイ、タッチパネル、キー、ボタン等を含むユーザインターフェースデバイスと、を含んでもよい。ソフトウェアモジュールが含まれる場合、これらソフトウェアモジュールは、プロセッサによって実行可能なプログラム命令又はコンピュータ可読コードとして、磁気記憶媒体（例えば、磁気テープ、ハードディスク、フロッピー（登録商標）ディスク）、光学記録媒体（例えば、ＣＤ−ＲＯＭ、デジタル多用途ディスク（ＤＶＤ）等）及び固体メモリ（例えば、ランダムアクセスメモリ（ＲＡＭ）、読み出し専用メモリ（ＲＯＭ）、静的ランダムアクセスメモリ（ＳＲＡＭ）、電気的消去可能読み出し専用メモリ（ＥＥＰＲＯＭ）、フラッシュメモリ、サムドライブ等）などの非一時的なコンピュータ可読媒体に格納されてもよい。コンピュータ可読記録媒体は、また、コンピュータ可読コードが分配された様式で格納及び実行されるようにネットワーク結合されたコンピュータシステム上において分配されてもよい。このコンピュータ可読記録媒体は、コンピュータによって読み取られ、メモリに格納され、プロセッサによって実行されてもよい。
【００５７】
[0075]  また、本明細書中の開示を使用し、本発明が関係する技術分野における通常の技量を有するプログラマであれば本発明を作製及び使用するための機能的なプログラム、コード及びコードセグメントを容易に実施することができる。
【００５８】
[0076]  本発明は機能ブロック構成要素及び種々の処理ステップの観点において記載されうる。そのような機能ブロックは特定の機能を実施するように構成された任意の数のハードウェア及び／又はソフトウェア構成要素によって実現されてもよい。例えば、本発明では、１つ又は複数のマイクロプロセッサ又は他の制御デバイスの制御下で種々の機能を実施しうる種々の集積回路構成要素、例えば、記憶素子、処理素子（processing element）、論理素子、ルックアップテーブル等を用いてもよい。同様に、本発明の要素がソフトウェアプログラミング又はソフトウェア要素を使用して実施される場合、本発明はＣ、Ｃ＋＋、ＪＡＶＡ（登録商標）、アセンブラ等のような任意のプログラミング又はスクリプト言語により実施されてもよく、種々のアルゴリズムはデータ構造、オブジェクト、プロセス、ルーチン又は他のプログラミング要素の任意の組み合わせにより実施される。機能的態様は１つ又は複数のプロセッサ上で実行するアルゴリズムにおいて実施してもよい。さらに、本発明では、任意の数の電子機器構成、信号処理及び／又は制御、データ処理等の従来技術を用いてもよい。最後に、本明細書中に記載される全ての方法のステップは本明細書中に特に示されない限り又は文脈によって明確に否定されない限りは任意の適切な順序で実施されてもよい。
【００５９】
[0077]  簡略化のため、従来の電子機器、制御システム、ソフトウェア開発及びシステムの他の機能的態様（及びシステムの個々の動作構成要素の構成要素）は詳細に記載されなくてもよい。さらに、提示された種々の図に示される連結線又は連結部は種々の要素間の例示的な機能的関係及び／又は物理的又は論理的結合を示すことを意図する。実際的なデバイスにおいては多くの代替案又は追加の機能的関係、物理的連結又は論理的連結が存在してもよいことに留意すべきである。「機構」、「要素」、「ユニット」、「構造」、「手段」及び「構成」という後は広く使用され、機械的又は物理的実施形態に限定されず、プロセッサ等とともにソフトウェアルーチンを含んでもよい。
【００６０】
[0078]  本明細書中に提供される全ての実施例又は例示的言語（例えば、「などの」）の使用は単に本発明により良好に明確にすることを意図しており、明確に請求されない限りは本発明の範囲に制約を課すものではない。この技術における通常の技量を有するものであれば以下の特許請求の範囲によって定義される発明の精神及び範囲から逸脱することなく多くの改良及び適応が容易に明らかになろう。従って、本発明の範囲は本発明の詳細な説明ではなく以下の特許請求の範囲によって定義されるものであり、範囲内のあらゆる相違は本発明に含まれるものと解釈される。
【００６１】
[0079]  物品又は構成要素はその要素が「必須」又は「重要」と具体的に記載されない限りは本発明の実施に必須ではない。また、用語「備える（comprises）」、「備えている（comprising）」、「含む（includes）」、「含んでいる（including）」、「有する（has）」及び「有している（having）」は、本明細書では、特に、オープンエンドな技術用語として解釈されることを意図することは理解されよう。本発明を説明する文脈における（特に以下の特許請求の範囲の文脈における）用語「a」及び「an」及び「the」並びに類似の指示対象の使用は文脈において明確に示されない限りは単数形及び複数形の両方を含むものと解釈されるべきである。加えて、本明細書中においては種々の要素を記載するために用語「第１」、「第２」等が使用される場合があるが、これら要素はこれら用語によって限定されるべきではなく、単に１つの要素を別の要素と区別するために使用されるものであることを理解すべきである。さらに、本明細書中における数値の範囲の記述は本明細書中に特に明記されない限り単に範囲内の各別個の数値を個々に参照する簡潔な方法としての機能を果たすことを意図するものであり、各別個の数値は本明細書中に個々に列挙されるかのように明細書中に組み込まれる。
【図１Ａ】
2015514199.tif 000003
【図１Ｂ】
2015514199.tif 000004
【図２】
2015514199.tif 000005
【図３】
2015514199.tif 000006
【図４】
2015514199.tif 000007
【図５Ａ】
2015514199.tif 000008
【図５Ｂ】
2015514199.tif 000009
【図５Ｃ】
2015514199.tif 000010
【図６Ａ】
2015514199.tif 000011
【図６Ｂ】
2015514199.tif 000012
【図７】
2015514199.tif 000013
【図８】
2015514199.tif 000014
【図９Ａ】
2015514199.tif 000015
【図９Ｂ】
2015514199.tif 000016
【図９Ｃ】
2015514199.tif 000017
【図９Ｄ】
2015514199.tif 000018
【図１０Ａ】
2015514199.tif 000019
【図１０Ｂ】
2015514199.tif 000020
【図１０Ｃ】
2015514199.tif 000021
【図１１Ａ】
2015514199.tif 000022
【図１１Ｂ】
2015514199.tif 000023
【図１１Ｃ】
2015514199.tif 000024
【図１２】
2015514199.tif 000025
【図１３】
2015514199.tif 000026
【図１４Ａ】
2015514199.tif 000027
【図１４Ｂ】
2015514199.tif 000028
【図１５Ａ】
2015514199.tif 000029
【図１５Ｂ】
2015514199.tif 000030
【図１５Ｃ】
2015514199.tif 000031
【図１６Ａ】
2015514199.tif 000032
【図１６Ｂ】
2015514199.tif 000033
【図１７Ａ】
2015514199.tif 000034
【図１７Ｂ】
2015514199.tif 000035
【図１８Ａ】
2015514199.tif 000036
【図１８Ｂ】
2015514199.tif 000037
【図１８Ｃ】
2015514199.tif 000038
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
固定カバーと、
可動隔室であって、前記固定カバーの後ろから当該可動隔室の内部を露出させるために並進可能な可動隔室と、
前記可動隔室の前記内部を冷却するように動作可能な冷却デバイスと、を備える、動的冷却ミニバー。
【請求項２】
前記可動隔室内に配置された飲料トレイであって、前記冷却デバイスが前記可動隔室の底部の開口部を通じて当該飲料トレイに熱的に結合されている、飲料トレイをさらに備える、請求項１に記載の動的冷却ミニバー。
【請求項３】
前記冷却デバイスを制御して前記可動隔室の前記内部をほぼ事前設定温度に維持するように動作可能な制御部をさらに備える、請求項１又は２に記載の動的冷却ミニバー。
【請求項４】
前記冷却デバイスが、
前記可動隔室の前記内部を冷却するように動作可能な少なくとも１つの熱電冷却デバイスと、
前記少なくとも１つの熱電冷却モジュールの外部から前記少なくとも１つの熱電冷却デバイスまで空気を循環させて前記熱電冷却モジュールから前記外部への熱を阻止するように動作可能なファンと、
前記少なくとも１つの熱電冷却デバイスに送られる電力の量を制御するように動作可能な温度制御器と、を含む、熱電冷却モジュールを備える、請求項１〜３のいずれか１項に記載の動的冷却ミニバー。
【請求項５】
前記可動隔室を並進させるように動作可能なアクチュエータをさらに備える、請求項１〜４のいずれか１項に記載の動的冷却ミニバー。
【請求項６】
第１位置から第２位置に前記可動隔室を直線的に並進させるように前記アクチュエータを制御する制御部をさらに備え、前記第２位置が、完全に収容された位置、完全に開いた位置及び部分的に開いた位置から構成された群から選択される、請求項５に記載の動的冷却ミニバー。
【請求項７】
車両内の一体型娯楽設備の一部であって、前記動的冷却ミニバーがその上に取り付けられる、車両内の一体型娯楽設備の一部と、
前記一体型娯楽設備の側部及び前記可動隔室の少なくとも１つに結合されたアクチュエータであって、前記可動隔室を並進させるように動作可能なアクチュエータと、をさらに備える、請求項１〜４及び６のいずれか１項に記載の動的冷却ミニバー。
【請求項８】
前記アクチュエータが、
回転可能なスクリューと、
前記可動隔室に結合されたブラケットであって、前記ブラケットの第１端部が前記スクリューに結合されている、ブラケットと、を備え、
前記スクリューが回転すると、前記可動隔室が直線的に並進される、請求項５〜７のいずれか１項に記載の動的冷却ミニバー。
【請求項９】
前記スクリューが回転すると、前記可動隔室が前記スクリューの長さ方向と平行に直線的に並進する、請求項８に記載の動的冷却ミニバー。
【請求項１０】
前記アクチュエータが、
スクリューと、
前記スクリューを回転するように動作可能なモータと、
前記可動隔室に結合されたブラケットであって、前記ブラケットの第１端部が前記スクリューに結合されている、ブラケットと、を備え、
前記モータが前記スクリューを回転させると、前記可動隔室が直線的に並進される、請求項５〜７のいずれか１項に記載の動的冷却ミニバー。
【請求項１１】
前記モータが前記スクリューを回転させると、前記可動隔室が前記スクリューの長さ方向と平行に直線的に並進される、請求項１０に記載の動的冷却ミニバー。
【請求項１２】
前記アクチュエータが、
静止しているスクリューと、
前記スクリューの周りを回転可能なナットと、
前記可動隔室に結合されたブラケットであって、前記ブラケットの第１端部が前記ナットに結合されている、ブラケットと、を備え、
前記ナットが前記スクリューの周りを回転すると、前記可動隔室が直線的に並進される、請求項５〜７のいずれか１項に記載の動的冷却ミニバー。
【請求項１３】
前記ナットが前記スクリューの周りを回転すると、前記可動隔室が前記スクリューの長さ方向と平行に直線的に並進する、請求項１２に記載の動的冷却ミニバー。
【請求項１４】
前記アクチュエータが、
静止しているスクリューと、
前記スクリューの周りでナットを回転させるように動作可能なモータと、
前記可動隔室に結合されたブラケットであって、前記ブラケットの第１端部が前記ナットと結合されている、ブラケットと、を備え、
前記モータが前記ナットを前記スクリューの周りで回転させると、前記可動隔室が前記スクリューと直線的に並進される、請求項５〜７のいずれか１項に記載の動的冷却ミニバー。
【請求項１５】
前記モータが前記スクリューの周りで前記ナットを回転させると、前記可動隔室が前記スクリューの長さ方向と平行に直線的に並進する、請求項１４に記載の動的冷却ミニバー。
【請求項１６】
動的冷却ミニバーを操作する方法であって、
前記動的冷却ミニバーの可動隔室を前記動的冷却ミニバーの固定カバーに対して第１位置から第２位置に並進させるための入力信号を受信するステップと、
前記入力信号に従い前記可動隔室を前記第２位置に直線的に並進させるステップと、を含む、方法。
【国際調査報告】
2015514199.tif 000039